(57)【要約】【課題】トイレの便器近傍に飛散して残る尿が、トイレを利用する者に不快感を与えていることを解消するため、軽量で水洗いができ、かつ交換部品が不要な経済的に優れたトイレマットを提供する。【解決手段】便器近傍に設置されるトイレマットには、スリットが付加されたエンボスが数多く配置され、雫が床面に落下した場合でも雫の跳ね返りがスリット部及びエンボスにあたることで拡散され、トイレマットの外部に飛散することを防止する。また交換部品を一切持たないトイレマットの清掃作業は水洗いのみで管理が行き届き経済的に優れている。【選択図】図１
2009279357.tif 000002
【特許請求の範囲】
【請求項１】
トイレマットは、スリットが付加されたエンボスが数多く配置され、排尿をする者の雫がトイレマット上またはトイレ床面に直接落ちたとき、雫はエンボス部及びエンボスに付加されたスリット部にあたり、トイレマット底部に拡散され外部へ飛散することを防止する、水洗いができるトイレマット。
【請求項２】
床面から１〜２ミリの高さに設定されたエンボス（トイレマットの中央部から便器に向いた範囲）の底面が排尿する者の重量でトイレの床面に接触することで、トイレマット表面中央部は便器にむけた傾斜面が生じ、排尿する者の雫がトイレマットの上に直接落ちた場合でも、その傾斜角により雫が排尿する者と反対方向で便器側の床面に落下するようにした、請求項１の水洗いができるトイレマット。
【請求項３】
素材には軽量で錆びが発生しにくい厚さ１ミリ以下の鋼板一枚、または樹脂材を用いる、請求項１〜２の水洗いができるトイレマット。
【請求項４】
厚さ１ミリ以下の鋼板で形成されるトイレマットの強度は、９０度に曲げられた外枠と床面に接触するエンボスの底面で保障される、またトイレマット外枠の底面にはゴム材が装着され床面とのすべりを防止し、トイレマット表面の足の置き場付近に配置される穴にはゴム材を装着して利用者がすべって転倒すことを防止する、請求項１〜３の水洗いができるトイレマット。
【請求項５】
注目度の高い標語や企業の情報提供をトイレマットの表面にすることで、トイレ利用者の目線がトイレマットに向き、排尿行為をする正しい位置が目に飛び込み、正しい位置からの排尿行為で便器外への尿漏れを防ぐようにする、情報提供エリアを持つ、請求項１〜４の水洗いができるトイレマット。
【発明の詳細な説明】
【発明の詳細の説明】
【産業上の利用分野】
【０００１】本発明は、トイレを利用するものが便器外へ飛散した尿の上に立って排尿することを避け、常に清潔で気持ちよくトイレを利用できるようにしたものである。
【背景技術】
【０００２】従来のトイレでは、排尿時の雫の飛散防止、衛生、環境対策として、定期交換（クリーニングのため）が必要となるマット、または吸水性素材（使い捨て）を使用したマット等を便器近傍に設置していた。また飛散して床面にできた尿の水滴及びシミ処理対策が全く施されてないところも多くあった。
【発明が解決しようとする課題】
【０００３】従来のトイレマットでは、定期的なクリーニングが必要となり費用が発生する。また吸水性素材を利用するものでは吸水性素材が使い捨てとなるため交換作業時間と費用の無駄が発生する。
【０００４】また雫を放置するものではトイレの美観を損ね利用する者が嫌悪感を持つ。本発明は以上の欠点を解決するためのものである。
【課題を解決するための手段】
【０００５】本発明では、便器の近傍に排尿の雫が飛散することを防止するため、スリットの入ったエンボスを数多くトイレマットに配置し、落下する雫をトイレマットの底部内で拡散して外部に飛散しない構造としている。
【０００６】トイレ掃除は頻繁におこなわれるため、水による錆びが発生せず、軽量で持ち運びが容易にできる厚さ１ミリ以下の鋼板、または樹脂で形成される。
【０００７】定期交換を必要とする部品がないことで、無駄な交換作業時間とメンテナンス費用が発生しない。本発明は以上の欠点を解決するためのものである。
【作用】
【０００８】本発明では、薄い一枚の鋼板に曲げ加工、成型加工を施すことでトイレマットとしての強度を確保しながら軽量化を達成、また雫が床面に直接落下したときの跳ね返りが、エンボスに付加されたスリット及びエンボスにあたり、トイレマット底部内に拡散され、トイレマット外へ飛散しない構造を提供した。
【実施例】
【０００９】以下、本発明の実施例を図１に基づいて示す。
図１は１ミリ以下の軽量素材に曲げ加工で外枠、成型加工で床面に接触して支柱となるエンボスを形成し、利用者の重量に耐えられる構造としたトイレマット本体。２はスリットが付加されたエンボスで床面に落下した雫の飛散を防ぐ、またエンボスの底面は排尿するものの重量で押し下げられることでトイレ床面に接触し、トイレマットの支柱となる（トイレマット中央部から便器側に向けた範囲の全てのエンボス）。３はトイレマット表面でのすべりを防ぐ、すべり防止具。４は雫が床面に直接落下する、丸穴。５はスリットが付加されたエンボスで、エンボスの底面が直接トイレの床に接触してトイレマットの支柱となる。６は注目度の高い標語や企業の情報提供をすることで、トイレ利用者の目線がトイレマットに向き、排尿行為をする際の正しく立つ位置が目に飛び込むようにした、情報提供エリア（情報は交換可能なシート材に記入される）。７はトイレマット本体と床面との間で発生するすべりを防止する、すべり防止具。８は男性用小便便器。９は雫が床面に落下した場合の跳ね返りを受けてトイレマット底部内に拡散し、外部への飛散を防止する。１０はエンボスの底面でトイレ床面と接触してトイレマットの支柱となり、トイレマットの構造を強化する。
【発明の効果】
【００１０】本発明により、清潔なトイレ環境を確保することができ、トイレを所有する者のイメージ向上が促される。また本発明のトイレマットは軽量で水による洗い流しができるため清掃作業者の清掃作業効率の向上が促される。この構造を有したトイレマットは形状変更することで、和式及び洋式トイレの近傍に設置することができる。
【図面の簡単な説明】
【００１１】
【図１】本発明の水洗いができるトイレマットの斜視図
【図２】図１のＡ斜視図（拡大図）
【図３】図１のエンボス装着配列パターン
【図４】便器前に設置された水洗いができるトイレマット
【図５】図１の表面すべり止具装着配列パターン
【図６】図５の３（トイレマット表面の滑り止め）のＣ−Ｃ断面拡大図
【図７】図１のスリットを付加したエンボスの拡大図
【図８】図７のＢ斜視図
【符号の説明】
【００１２】１水洗いができるトイレマット本体
２スリットを付加したエンボス（底面上高さ１〜２ミリ設定）
３トイレマット表面のすべり防止具
４丸穴
５スリットを付加したエンボス（底面上高さ０ミリ設定）
６情報提供エリア
７外枠すべり防止具
８便器
９エンボスに付加されたスリット
１０エンボス底部
【図１】
2009279357.tif 000003
【図２】
2009279357.tif 000004
【図３】
2009279357.tif 000005
【図４】
2009279357.tif 000006
【図５】
2009279357.tif 000007
【図６】
2009279357.tif 000008
【図７】
2009279357.tif 000009
【図８】
2009279357.tif 000010
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
トイレマットは、成型加工されたランス・エンボス等が数多く配置され、排尿する者の雫がトイレマット上またはトイレ床面に直接落ちたとき、雫はランスやエンボス部等に付加されたスリット部にあたり、トイレマット底部に拡散され外部へ飛散することを防止する、水洗いができるトイレマット。
【請求項２】
床面から１〜２ミリの高さに設定されたランス・エンボス（トイレマットの中央部から便器に向いた範囲）等の成型加工された底面が排尿する者の重量でトイレの床面に接触することで、トイレマット表面中央部は便器にむけた傾斜面が生じ、排尿する者の雫がトイレマットの上に直接落ちた場合でも、その傾斜角により雫が排尿する者と反対方向で便器側の床面に落下するようにした、またトイレマット上に成型加工されたランスの直線部は排尿する者がトイレマット上で靴の位置をずらした時、靴裏に付着した水分を拭い取ることができトイレマット上でのスベリを防止することができるようにした、請求項１の水洗いができるトイレマット。
【請求項３】
素材には軽量で錆びが発生しにくい厚さ１ミリ以下の鋼板一枚、または樹脂材を用いる、請求項１〜２の水洗いができるトイレマット。
【請求項４】
厚さ１ミリ以下の鋼板で形成されるトイレマットの強度は、９０度に曲げられた外枠と床面に接触するランスまたはエンボス等の成型加工された形状底面で保障される、またトイレマット外枠の底面にはゴム材が装着され床面とのすべりを防止し、トイレマット表面の足の置き場付近に配置される穴にはゴム材を装着して利用者がすべって転倒すことを防止する、またトイレマットに尿を吸収するシーツを２枚以上同時にセットができシーツの交換が簡単にできるようにした、請求項１〜３の水洗いができるトイレマット。
【請求項５】
注目度の高い標語や企業の情報提供をトイレマットの表面にすることで、トイレ利用者の目線がトイレマットに向き、排尿行為をする正しい位置が目に飛び込み、正しい位置からの排尿行為で便器外への尿漏れを防ぐようにする、情報提供エリアを持つ、請求項１〜４の水洗いができるトイレマット。